(57)【特許請求の範囲】
【請求項１】
上方が開口し液体を収納できる容器本体を備え、この容器本体の上端近傍に、容器本体の内外に貫通する注ぎ口通路を有する注ぎ口を形成し、この注ぎ口通路の開口面積を容器本体の上方開口面積と比較して比較的小さく形成し、内外貫通した注ぎ口通路の底面を略水平方向となし、この注ぎ口の下方の容器本体の外面に窪み部を形成し、注ぎ口の外下端部と窪み部の外上端部との距離を液垂れしない幅としてなることを特徴とする液垂れしない液体容器。
【請求項２】
前記注ぎ口の断面形状が下方に狭くなるように形成されたことを特徴とする請求項１の液垂れしない液体容器。
【請求項３】
前記窪み部の横幅が前記注ぎ口の断面形状の最大横幅以上であることを特徴とすることを特徴とする請求項１乃至２に記載の液垂れしない液体容器。
【請求項４】
前記注ぎ口通路の底面と容器本体の外側面とのなす注ぎ口先端角度が直角以下に形成されたことを特徴とする請求項１乃至３に記載の液垂れしない液体容器。
【請求項５】
前記注ぎ口の外下端部と窪み部の外上端部との液垂れしない距離幅が５ｍｍ以下であることを特徴とする請求項１乃至４に記載の液垂れしない液体容器。
【請求項６】
前記注ぎ口が前記容器本体の開口縁部に設けられていることを特徴とする請求項１乃至５のいずれかに記載の液垂れしない液体容器。
【発明の詳細な説明】
【技術分野】
【０００１】
本発明は、水、酒や調味料等の液体容器に用いる液垂れしない液体容器に関する。
【背景技術】
【０００２】
従来の酒や調味料等の液体を他の器などに移し変える際に用いる容器の形状は、例えば図５に示すように、容器本体５の側面に突出して注ぎ口６が設けられたものである。
【０００３】
しかしながら、従来の容器では必要量の液を注ぎ終えた後、注ぎ口６の周辺に残った液が液垂れし、注ぎ口６の外周を伝わって卓上等を汚染する欠点があった。
【０００４】
また容器本体５から注ぎ口６が突出しているため収納する場合などに邪魔になり、他のものにぶつかって注ぎ口６が欠けることがあるという欠点があった。
【０００５】
これら欠点の内、液垂れ防止のため、例えば特開２００３−４０２７４号公報（特許文献１）に見られるように注ぎ口から垂れ出した液の拡散防止のため注ぎ口の開口から少し下がった位置に垂れ出した液を保持するための溝を設けるとか、特開平０７−２３７６４２号公報（特許文献２）に見られるように、垂れ出した液を収容するための空洞を有す溜まり部を設けるものや、実用新案登録第３０４７０９４号公報（特許文献４）に見られるように注ぎ口に突起を設け、水きれを良くしようとしたものが提案されている。また特許第４０６１３４０号公報（特許文献３）では容器の外部に注ぎ口を設けるのではなく容器の口頸部に半円形状の切り欠いた注ぎ口が設けられたものが提案されている。
【先行技術文献】
【特許文献】
【０００６】
【特許文献１】特開２００３−４０２７４号公報
【特許文献２】特開平０７−２３７６４２号公報
【特許文献３】特許第４０６１３４０号公報
【特許文献４】実用新案登録第３０４７０９４号公報
【発明の概要】
【発明が解決しようとする課題】
【０００７】
しかしながら、上記の特許文献１や特許文献２の提案はいずれも垂れ出した液の拡散防止であり、収容方法の提案であり、液垂れそのものを防止するものではない。また特許文献１、２、４の３提案ともに注ぎ口が容器の本体から突出しているため、他の物体とぶつかって破損したり食器棚内に収納する場合などに邪魔になる。また特許文献３で提案されている容器の口頸部に半円形状の切り欠いた注ぎ口は液切れを目的とするものであって液垂れ防止を目的としたものではない。そこで本発明は以上のような従来の欠点に鑑み、容器から必要量の液を注ぎ終えた後、液垂れそのものを引き起こさせず、かつ容器本体から注ぎ口が突出しない構造を有する液垂れ防止用の容器を提供することを目的としている。
【課題を解決するための手段】
【０００８】
上記目的を達成するために、請求項1の本発明の液垂れしない液体容器は、上方が開口し液体を収納できる容器本体を備え、この容器本体の上端近傍に、容器本体の内外に貫通する注ぎ口通路を有する注ぎ口を形成し、この注ぎ口通路の開口面積を容器本体の上方開口面積と比較して比較的小さく形成し、内外貫通した注ぎ口通路の底面を略水平方向となし、この注ぎ口の下方の容器本体の外面に窪み部を形成し、注ぎ口の外下端部と窪み部の外上端部との距離を液垂れしない幅としてなることを特徴とすることにより容器本体から突出することなくかつ液垂れ防止機能を持つことが出来る。
【０００９】
請求項２の本発明の液垂れしない液体容器は、注ぎ口の断面形状が下方に狭くなるように形成されているものであり、より液垂れしないものである。
【００１０】
請求項３の本発明の液垂れしない液体容器は、窪み部の横幅が注ぎ口の断面形状の最大横幅以上に形成されたものであり、より液垂れしないものである。
【００１１】
請求項４の本発明の液垂れしない液体容器は、注ぎ口通路の底面と容器本体の外側面とのなす注ぎ口先端角度が直角以下に形成されたものであり、この角度により液切れが確実になる。
【００１２】
請求項５の本発明の液垂れしない液体容器は、注ぎ口の外下端部と窪み部の外上端部との液垂れしない距離幅が５ｍｍ以下であることを特徴とするものであり、このことにより注ぎ終えた後、注ぎ口先端部に残った液は微量となりその液は表面張力により落下することなく液垂れを引き起こさない。
【００１３】
請求項６の本発明の液垂れしない液体容器は、注ぎ口が前記容器本体の開口縁部に設けられていることを特徴とするものであり、このことにより液体を注ぐ時に注ぎ口が見えるため注ぎ易く、注ぐ量の加減がし易くなる。
【発明の効果】
【００１４】
以上の説明から明らかなように、請求項１の本発明にあっては、液体を注ぐ注ぎ口は容器本体の厚み内に存在することになり、容器本体から注ぎ口が突出しない構造になる。したがって他の物体とぶつかって破損することがなく収納する場合などに他の収納物に対して邪魔にならず収納できる。
【００１５】
そして、この注ぎ口の下方の容器本体の外面に窪み部を形成し、注ぎ口の外下端部と窪み部の外上端部との距離を液垂れしない幅としてなるので、容器から必要量の液体を注ぎ終えた後、液垂れそのものを引き起こさないものである。
【００１６】
請求項２の本発明にあっては、注ぎ口の断面形状が下方に狭くなるように形成されているためを注ぐ時に液体量が加減しやすく、注ぎ終えた時に注ぎ口に残る量は微量となる。
【００１７】
請求項３の本発明にあっては、窪み部の横幅が注ぎ口の断面形状の最大横幅以上であるので、注ぎ口に残った液が窪み部の外側を伝い回って液垂れをするということがない。
【００１８】
請求項４の本発明にあっては、注ぎ口通路の底面と容器本体の外側面とのなす注ぎ口先端角度が直角以下に形成されたことにより、液切れが確実になる。
【００１９】
請求項５の本発明にあっては、注ぎ口の外下端部と窪み部の外上端部との液垂れしない距離幅が５ｍｍ以下であることを特徴とするものであり、このことにより注ぎ終えた後、注ぎ口先端部に残った液は微量となりその液は表面張力により落下することなく液垂れを引き起こさない。
【００２０】
請求項６の本発明にあっては、注ぎ口が容器本体の開口縁部に設けられているため、液体を注ぐ時に注ぎ口が見えるので注ぎ易く、注ぐ量の加減がし易くなる。
【図面の簡単な説明】
【００２１】
【図１】本発明の第1実施例を示す斜視図である。
【図２】本発明の第1実施例の注ぎ口先端の拡大断面図である。
【図３】本発明の第２実施例を示す斜視図である。
【図４】本発明の第３実施例を示す斜視図である。
【図５】従来技術を示す斜視図である。
【発明を実施するための形態】
【実施例１】
【００２２】
以下、本発明の実施例を図面に基づいて説明する。図１に図示される本発明の第１実施例の液垂れしない液体容器Ａは、上方が開口し液体（例えば、水、日本酒）を収納できる容器本体１を備えており、容器本体１はガラス製、木製、金属製あるいは樹脂製であってよく、手にもちやすくするために上辺の直径より下辺の直径は若干狭くしている。
【００２３】
容器本体１の開口縁部に注ぎ口２が形成されている。この注ぎ口２は、容器本体１の肉厚の縁部に横向き円筒状の形状で上部を切り欠いた形状で、図２に示されるように、容器本体１の内外に貫通する注ぎ口通路が形成されている。注ぎ口２の注ぎ口通路の開口面積は、容器本体１の上方開口面積と比較して比較的小さく形成されているものであり、内外貫通した注ぎ口通路の底面は略水平方向に形成されている。
【００２４】
図２に示されるように、注ぎ口２の下方の容器本体１の外面には窪み部３が形成されおり、注ぎ口２の直下、鉛直方向に５ｍｍ以下の間隔をあけて半円球状の窪み部３が設けられている。即ち、注ぎ口２の外下端部と窪み部３の外上端部とで形成される注ぎ口先端４の距離幅ｄは、液垂れがしない幅に形成されているものである。
【００２５】
注ぎ口２の形状は、図１の第１実施例のように上部切欠き円筒形状、図３の第２実施例のように逆三角形の楔形状、図４の第３実施例のように円筒形状に示されるように、注ぎ口２の断面形状が下方に狭くなるように形成されていると注ぐ時に液体量が加減しやすく、さらに注ぎ終えた時に注ぎ口に残る量は微量となり、微量になった液体は表面張力により注ぎ口に留まり液垂れしないものである。
【００２６】
また窪み部３の形状は、図１、図４に示されるように半球状のくぼみのほか、図３に示されるように帯状や方形状、あるいは円筒状や楕円状のものでも良いものであり、図３に示されるように、窪み部３の横幅Ｗ２が注ぎ口２の断面形状の最大横幅Ｗ１以上であれば、注ぎ口２の横方向から液垂れを防ぐことできるものである。図１においても、窪み部３の横幅が注ぎ口２の断面形状の最大横幅以上となるように形成されている。なお、窪み部３の形状は、容器本体１の下辺部まで届くように形成してもよいものであり、デザイン上種々考えられるが、注ぎ口先端４の距離幅ｄが、液垂れしない幅に形成されているものである。
【００２７】
注ぎ口２の内外貫通した注ぎ口通路の底面は略水平方向に形成されているが、内側に傾斜してもよく、この場合は、注ぎ口２の注ぎ口通路の底面と容器本体１の外側面とのなす注ぎ口先端４の角度が直角以下に形成され、液切れが起きやすく、液垂れがより確実に防止できるものである。
【００２８】
図２に示されるように、注ぎ口先端４の形状において、注ぎ口２の注ぎ口通路の底面と容器本体１の外側面とのなす注ぎ口先端４の角度が直角以下に形成されていれば、液切れし易くなり注ぎ口先端４には微量の液が残ることにより更に液垂れしないものである。
【００２９】
図１のように、容器本体１を手にもちやすくするために、容器本体１の上辺の直径より下辺の直径は若干狭く形成すれば、注ぎ口先端４の形状において、必然と注ぎ口通路の底面と容器本体１の外側面とのなす角度は直角以下となるものである。
【実施例２】
【００３０】
図３は本発明の第２実施例の斜視図であって、注ぎ口２の形状が楔状注ぎ口２aになっているものである。窪み部３は帯状の窪み部３aになっているものであり、帯状の窪み部３aの横幅Ｗ２が楔状注ぎ口２aの断面形状の最大横幅Ｗ１以上になっており、注ぎ口２の横方向から液垂れを防ぐことできるものである。
【実施例３】
【００３１】
図４は本発明の第３実施例の斜視図であって、注ぎ口２が容器本体１の上縁部より下部において円筒形状に貫通して形成されているものである。
【００３２】
本発明の液体容器Ａは、上記実施例では容器本体１の形状が円柱形状のもので説明したが、容器本体１の形状が四角柱や五角柱の多角形の形状であってもよいものである。
【００３３】
図１、図３の本発明の実施例の如く、容器本体１の厚みは注ぎ口の直下にあるくぼみの形状が保たれる厚みであれば、注ぎ口以外の部分は薄くても良く、容器本体の材料量の軽減にもなり、デザイン性にも優れるものである。
【００３４】
容器本体１に収容した液体を清潔に保つために、容器本体１にかぶせ式の蓋を持たせることができる。あるいはかぶせ蓋が、ねじ込み式でもよくワインボトルの如く内栓式であってもよい。
【００３５】
本発明の実施形態を実証するために下記の要領にて実施例の実験を行った。
【００３６】
＜実験１＞
液垂れ防止に必要な上記の注ぎ口先端４の距離幅ｄと半円球状の窪み部３の大きさと注ぎ口２のサイズおよび形状を求めるために、図１の液体容器Ａの実施例のタイプで液垂れ防止実験を行って確認した。実験用の容器本体１は、外径９０ｍｍ、内径７０ｍｍ、高さ１００ｍｍで容量２００ｃｃの円柱形の木製であり、手にもちやすくするために上辺の直径より下辺の直径は若干狭く形成しているものである。注ぎ口２の形状が直径８ｍｍの横向き円筒状の形状で上部を切り欠いた形状とし、窪み部３は直径１０ｍｍの半球状で注ぎ口先端４の距離幅ｄを０．５ｍｍ、１ｍｍ、２ｍｍ、３ｍｍのそれぞれの距離幅別に形成した。
【００３７】
実験方法は、容器本体１に水を満水にし、１回あたり４０ｃｃずつ注ぎ出し、都度、容器を直立させ容器本体１内が空になるまで繰り返し注ぎ出し、液垂れ状況を確認した。上記実験方法にて注ぎ口先端４の距離幅ｄを０．５ｍｍ、１ｍｍ、２ｍｍ、３ｍｍのそれぞれの間隔別に形成したもので繰り返し確認した結果、注ぎ口先端４に微量の液が付着するだけで液垂れするものはなかった。
【００３８】
注ぎ口先端４の距離幅ｄを４ｍｍ、５ｍｍに拡げて実験した場合、注ぐ時に横揺れさせずに真っ直ぐに注げば液垂れはなかった。
【００３９】
＜実験２＞
卓上の調味料用容器などを想定し小型の液体容器で実験した。実験用の容器本体１は外径４５ｍｍ、内径３０ｍｍ、高さ８５ｍｍで容量４０ｃｃの円柱形の木製である。注ぎ口２の形状と窪み部３の形状は実験１の場合と同様にし、注ぎ口のサイズは直径５ｍｍ、窪み部２は直径５ｍｍの半球状で注ぎ口先端４の距離幅ｄを０．５ｍｍ、１ｍｍ、２ｍｍのそれぞれで１ｃｃずつ注ぎ出した結果、液垂れはなかった。
【００４０】
本発明による液垂れ防止用容器に好ましい液体は、水、日本酒、焼酎、洋酒、醤油、ソースなどの粘性のない液体であるとより好ましいものである。
【符号の説明】
【００４１】
Ａ    液体容器
１    容器本体
２    注ぎ口
２a   楔状注ぎ口
３    窪み部
３a   帯状の窪み部
４    注ぎ口先端        
５    容器本体
６    注ぎ口
【要約】
【課題】  従来の飲料を他の器に移し変える際に用いる容器の形状は、容器側面に注ぎ口が設けられたものであり、必要量の液を注ぎ終えた後、注ぎ口の周辺に残った液が液垂れし、注ぎ口の外周を伝わって卓上等を汚染する欠点があった。また、容器から注ぎ口が突出しているため収納する場合に邪魔になり、ぶつかって注ぎ口が欠けることがあった。本発明はこれらの欠点を鑑み、必要量の液を注ぎ終えた後、液垂れそのものを引き起こさせず、かつ容器から注ぎ口が突出しない構造を有する液垂れ防止用容器を得ることにある。
【解決手段】  液体用の容器本体の上部に切り欠き部を設け、これを注ぎ口とすることにより容器本体から注ぎ口が突出することなく、かつ、この注ぎ口の直下に所定寸法の間隔をあけて形成される液切れのためのくぼみと、を有する液垂れ防止用容器を構成している。
【選択図】  図１【図１】
0004746145.tif 000002
【図２】
0004746145.tif 000003
【図３】
0004746145.tif 000004
【図４】
0004746145.tif 000005
【図５】
0004746145.tif 000006